(57)【要約】【課題】　恒久グラウト材を最初から使用して浸透注入を行なうことにより、従来の仮設材を用いる場合に比べて改良体の層厚が少なくてすみ、経済性の高い裏込土砂の流出防止方法を提供する。【解決手段】　防砂シート５に沿って薬液注入用のロッドを削孔した後、ロッドの先端から瞬結タイプの溶液型恒久グラウト材を注入しロッドを引き上げ、上記グラウト材を注入する動作を繰り返して薬液注入改良体１２で止水層を形成後、緩結タイプの溶液型恒久グラウト材を浸透注入して薬液注入固化体１７の層を形成する。【選択図】　図９
2004036388.tif 000002
【特許請求の範囲】
【請求項１】
　裏込石に敷設した破損部を有する防砂シートに沿って薬液注入用のロッドで削孔した後、ロッドの先端から、瞬結タイプの溶液型恒久グラウト材を所定量注入し、ロッドを所定の位置まで引き上げ、上記溶液型恒久グラウト材を所定量注入する動作を所定の位置ごと繰り返して、防砂シートを覆う薬液注入改良体で止水層を形成した後、緩結タイプの溶液型恒久グラウト材を浸透注入して、薬液注入固化体の層を形成する裏込土砂の流出防止方法。
【請求項２】
　薬液注入により造成する改良体は、必要に応じて一列または複数列設置する請求項１に記載の裏込土砂の流出防止方法。
【請求項３】
　薬液注入の方法は、斜めに削孔して多点注入工法を使用する請求項１または２に記載の裏込土砂の流出防止方法。
【発明の詳細な説明】
【技術分野】
【０００１】
　本発明は、護岸の裏込石に敷設した裏込土砂の防砂シートが破損して、裏込土砂が流出している場合に有効な、裏込土砂の流出防止方法に関する。
【背景技術】
【０００２】
　従来、例えば既存のケーソン護岸の裏込石に敷設した裏込土砂の防砂シートが破損したときの裏込土砂などの吸出防止工法には、図１０に示すような裏込土２０に、セメント系懸濁型薬液２１や、可塑状の薬液を注入する方法、および図１１に示すように浸透性の高い溶液型シリカ２２を注入する方法等があった。
【０００３】
　しかしながら、裏込土２０にセメント系懸濁型薬液や可塑状の薬液を注入する方法は、細粉分含有率が５％を越えると均一な強度が得られないため、強度の弱い未改良部分から吸い出しが発生する恐れがあった。
【０００４】
　また、溶液型シリカを注入する方法は、薬液の粘性が低いため、吸い出しを受けている箇所から薬液が漏出して、改良範囲が予定形状よりも小さくなる恐れがあった。そこで、上記の恐れを解消するため、図１２に示す海に面した基礎捨石２上に設置したケーソン３の護岸１における裏込土６に予備液を、裏込砕石４を覆った防砂シート５に沿った注入孔から注入した後、その裏込土６に浸透固化液を注入している（例えば、特許文献１参照）公知例が知られている。
【特許文献１】特開２００３−１３４３７号公報（第６頁、第１図）
【０００５】
　しかしながら、上記の公知例においては、防砂シートの破損部７を瞬結型の可塑性グラウト等で覆っているが、瞬結型可塑性グラウトは水ガラス系しか存在せず、水ガラスは恒久性がないので仮設材として扱われるので、経済的でなく、また、上記公知例においては、浸透注入のための削孔を垂直に複数施工していたので、経済性に問題があった。
【発明の開示】
【発明が解決しようとする課題】
【０００６】
　本発明は、恒久グラウト材を最初から使用して浸透注入を行うことにより、従来方法のごとく仮設材を用いる場合に比べて、改良体の層厚が少なくてすみ、しかも浸透注入のための削孔を防砂シートに沿って斜めに行うことで経済性の高い裏込土砂の流出防止方法を提供する。
【課題を解決するための手段】
【０００７】
　本発明は、裏込石に敷設した防砂シートに沿って薬液注入用のロッドで削孔した後、ロッドの先端から、例えばゲルタイムが５から２０秒程度の瞬結タイプの溶液型恒久グラウト材を所定量注入し、ロッドを所定の位置まで引き上げ、上記溶液型恒久グラウト材を所定量注入する動作を所定の位置ごと繰り返して、防砂シートを覆う薬液注入改良体で止水層を形成した後、例えばゲルタムが６から数十時間の緩結タイプの溶液型恒久グラウト材を浸透注入して、薬液注入固化体の層を形成する裏込土砂の流出防止方法からなる。
【０００８】
　また本発明は、薬液注入により造成する改良体は、必要に応じて一列または複数列設置する裏込土砂の流出防止方法からなり、さらに、薬液注入の方法は、斜めに削孔して多点注入工法を使用する裏込土砂の流出防止方法からなる。
【発明の効果】
【０００９】
　従来の方法では、防砂シートの破損部を仮設材の瞬結型可塑性グラウトで覆っていたので、恒久の改良体としては扱えなかったのに比べ、本発明によれば、防砂シートの破損部を覆う薬液も恒久グラウト材を使用しているので、恒久の改良体として扱うことができ、薬液注入による改良体の層厚が少なくてすみ、経済的である。
【００１０】
　また、従来の方法では浸透注入のための削孔を垂直に複数行っていたが、本発明によれば、削孔を防砂シートに沿って斜めに１本削孔すればよいので、さらに経済的である。
【発明を実施するための最良の形態】
【００１１】
　以下図面を参照して本発明を実施するための最良の形態につき説明する。
【実施例】
【００１２】
　図１、図２および図３は裏込石９に敷設した防砂シート５に沿って破損部７を有する防砂シート５を修復する裏込土砂の流出防止方法における、薬液を止水注入する手順の説明図であり、まず図１において、防砂シート５に沿って薬液注入用のロッド１１で削孔するが、この実施例では削孔水を、２０から３０ｌ／分を使用して削孔工を行う。
【００１３】
　次に、図２において設置したロッド１１の先端から、ゲルタイムが５から２０秒程度の瞬結タイプの活性シリカ等の溶液型恒久グラウト材を所定量注入し、固化により改良体１２を形成する注入工を行う。
【００１４】
　さらに、図３において、ロッド１１を所定の長さ引き上げ、図２の手順の通り溶液型恒久グラウト材を所定量注入し、同様な改良体１２を連続形成する動作、すなわち、ロッド１１の引き上げ、続いて同様の注入を行う注入工を繰り返す。
【００１５】
　なお、この場合のロッド１１により注入固化された恒久グラウトの止水注入の改良体１２の平面図を図４の概略図に示している。
【００１６】
　上記の注入方法としては、Ａ液とＢ液の２液を合流点直前まで二重管を用いて分離して圧送し、合流後数秒でゲル化するようにする二重管単相注入方式または、注入管に二重管または三重管のボーリングロッドを用いて、瞬結タイプの注入材を注入したあと、緩結タイプまたは急結タイプの注入を行う多重管複相注入方式を用いることができるが、この注入方式には特に限定するものではなく、他の注入方式を用いても良い。
【００１７】
　次に、図５、図６および図７は上記に続き行なわれる緩結タイプの薬液浸透注入を行なう手順の説明図であり、使用薬液としては活性シリカ等緩結タイプの溶液型恒久グラウト材を使用し、そのゲルタイムは６から数十時間とし、図５においてはケーシング１４を図３の止水注入により造成された改良体１２上に改良体１２に沿って削孔し、緩結タイプの溶液型恒久グラウト材を注入する。
【００１８】
　図６は注入パイプ設置の場合を示しており、複数の注入パイプ１５の先端を段違いに掘削孔内に設置し、各先端の注入ノズル１６から砂地盤の中に低圧力で注入する。
【００１９】
　図７で、上記の注入の後、６から数十時間のゲルタイムの後、溶液型の恒久グラウト材の浸透注入改良体１７が形成され、これら止水注入改良体１２と浸透注入改良体１７の平面図を図８に示している。
【００２０】
　この薬液注入の方法は、斜めに削孔して超多点注入方法を使用すれば、薬液を均等に土砂粒子の間に少しずつゆっくり注入することで、球体に近い理想的な固結体が得られるので、理想的な浸透注入と高い施工性を両立させることができるが、特にこれ以外の薬液注入方法でも浸透注入するものであれば他の方法を用いてもよい。
【００２１】
　なお、図９は本発明の裏込土砂の流出防止方法により施工を行なった護岸１の断面図であり、基礎捨石２、ケーソン護岸３、裏込石９、裏込土砂６を示しており、防砂シート５に沿って上記止水注入の改良体１２および浸透注入改良体１７をそれぞれ造成して得られる。
【産業上の利用可能性】
【００２２】
　本発明の実施の形態は、海に面した構築物、即ち護岸の他、矢板、ケーソン、ブロック、ＰＣ部材、石材、現場打ちコンクリートなどで構築された構造物の他、保留施設、桟橋、岸壁などに利用する可能性がある。
【図面の簡単な説明】
【００２３】
【図１】本発明の工法の手順を説明する瞬結型の薬液を止水注入する削孔工の概略図である。
【図２】図１のロッド先端からの注入工による改良体の造成を示す概略図である。
【図３】図２のロッド引き上げ後の注入工を示す概略図である。
【図４】図３の改良体を示す平面図である。
【図５】図３の注入工の後、緩結タイプの薬液浸透注入のケーシングによる削孔工の概略図である。
【図６】図５の薬液浸透注入に注入パイプ設置を用いた概略図である。
【図７】図５および図６の浸透注入により浸透注入改良体を形成した概略図である。
【図８】図７の浸透注入改良体を示す平面図である。
【図９】本発明の方法により改良した護岸の断面図である。
【図１０】従来の裏込土の吸出防止工法を示す断面図である。
【図１１】図９と異なる他の従来例の裏込土の吸出防止工法を示す断面図である。
【図１２】従来の公知例の裏込土の吸出防止工法の断面図である。
【符号の説明】
【００２４】
　　　５　　防砂シート
　　　９　　裏込石
　　１１　　ロッド
　　１２　　薬液注入改良体
　　１７　　浸透注入固化体
【図１】
2004036388.tif 000003
【図２】
2004036388.tif 000004
【図３】
2004036388.tif 000005
【図４】
2004036388.tif 000006
【図５】
2004036388.tif 000007
【図６】
2004036388.tif 000008
【図７】
2004036388.tif 000009
【図８】
2004036388.tif 000010
【図９】
2004036388.tif 000011
【図１０】
2004036388.tif 000012
【図１１】
2004036388.tif 000013
【図１２】
2004036388.tif 000014